(57)【要約】      （修正有）【課題】混合物を注出でき、見栄えを損なわない二剤混合容器を提供。【解決手段】開口する注出口部ｅを有し、その内側に補助剤または主剤の充填空間Ｍを形成するカバー体１と、カバー体１に連係、保持する中筒２と、中筒２のに連係し、内側に主剤または補助剤の充填空間Ｍ１を形成する容器本体５とを備え、中筒２を回動操作によって相互接近、収縮する向きに移動可能に連係する二つのスリーブ２ａ、２ｂにて構成する。カバー体１の内側に、貫通開孔ｈを有し上側スリーブ２ａとの相互間にて挟持され、カバー体１の充填空間Ｍの底壁を形成する中栓６を設け、この中栓６の貫通開孔ｈに貫通開孔ｈを閉塞させてカバー体１及び容器本体５の各充填空間Ｍ、Ｍ１の相互遮断を維持するが、スリーブ２ａ、２ｂの移動によりスライドさせ、中栓６の貫通開孔ｈを開放してカバー体１の充填空間Ｍ内に収納した一剤の落下を可能とするプラグ７を配置する。【選択図】図１
2010083514.tif 000002
【特許請求の範囲】
【請求項１】
頂部において開口する注出口部を有し、その内側に補助剤または主剤の充填空間を形成するカバー体と、このカバー体を下端部において連係、保持する中筒と、この中筒の下部に連係し、その内側に主剤または補助剤の充填空間を形成する容器本体とを備え、該カバー体の充填空間内の一剤を該容器本体の充填空間に向けて落下させることによって他の一剤と混合する二剤混合容器であって、
前記中筒を、回動操作によって相互接近、収縮する向きに移動可能に連係する上下二つのスリーブからなるものとし、
前記カバー体の内側に、貫通開孔を有し上側に位置するスリーブとの相互間にて挟持され、該カバー体の充填空間の底壁を形成する中栓を設け、この中栓の貫通開孔に、該貫通開孔を閉塞させてカバー体及び容器本体の各充填空間の相互遮断を維持するが、各スリーブの移動に伴う押上げにてスライドさせ、該中栓の貫通開孔を開放してカバー体の充填空間内に収納した一剤の落下を可能とするプラグを配置したことを特徴とする二剤混合容器。
【請求項２】
前記プラグは、貫通開孔の縁部に緊密に嵌合して該貫通開孔を閉塞させる本体部分と、この本体部分に一体連結し該貫通開孔の縁部の少なくとも三箇所にて摺動可能に当接するガイドと、該ガイドの相互間に設けられ、スリーブの移動による押上げにて各充填空間につながる通路を形成する凹所からなり、該ガイドは、貫通開孔からの抜け出しを回避する当接長さを有する、請求項１記載の二剤混合容器。
【請求項３】
上下二つのスリーブは、相互離隔、伸張する向きへの回動操作を不能とするラチェット機構を有する、請求項１または２記載の二剤混合容器。
【請求項４】
上下二つのスリーブは、その相互間に、引きちぎりによる取り外しによって回動操作を可能とするバージンバンドを有する、請求項１〜３の何れかに記載の二剤混合容器。
【発明の詳細な説明】
【技術分野】
【０００１】
本発明は、例えば、主剤に補助剤を添加、混合して使用する商品に好適な二剤混合容器に関するものであり、二剤を効率よく混合、注出しようとするものである。
【背景技術】
【０００２】
二剤混合容器としては、種類の異なる内容物をそれぞれ充填した収納体を二つ用意してこれを二段重ねに構成し、使用時に一方の収納体を回動させ各収納体を相互に隔絶する底蓋を下側に位置する収納体へ向けて落下させることによって両収納体につながる開口を形成して二剤を混合するようになっており、毛染め剤のみならずお茶等の飲料分野へも適用されつつあって、その需要は今後益々増大していくものと見込まれている（特許文献１参照）。
【特許文献１】特許第４０９４３２０号明細書
【０００３】
ところで、従来のこの種の二剤混合容器は、容器の注出姿勢によっては取り外しにかかる底蓋が両収納体をつなぐ開口等の注出経路を塞いでしまうこともあり内容物をスムーズに注出することができないことが懸念され、また、容器本体が透明または半透明で構成されている場合には、底蓋が内容物の上に浮いているのが視認されるため見栄えがよいとはいえず、未だ改善の余地が残されていた。
【発明の開示】
【発明が解決しようとする課題】
【０００４】
本発明の課題は、取り外しにかかる底蓋に起因した従来の不具合を解消できる新規な二剤混合容器を提案するところにある。
【課題を解決するための手段】
【０００５】
本発明は、頂部において開口する注出口部を有し、その内側に補助剤または主剤の充填空間を形成するカバー体と、このカバー体を下端部において連係、保持する中筒と、この中筒の下部に連係し、その内側に主剤または補助剤の充填空間を形成する容器本体とを備え、該カバー体の充填空間内の一剤を該容器本体の充填空間に向けて落下させることによって他の一剤と混合する二剤混合容器であって、
前記中筒を、回動操作によって相互接近、収縮する向きに移動可能に連係する上下二つのスリーブからなるものとし、
前記カバー体の内側に、貫通開孔を有し上側に位置するスリーブとの相互間にて挟持され、該カバー体の充填空間の底壁を形成する中栓を設け、この中栓の貫通開孔に、該貫通開孔を閉塞させてカバー体及び容器本体の各充填空間の相互遮断を維持するが、各スリーブの移動に伴う押上げにてスライドさせ、該中栓の貫通開孔を開放してカバー体の充填空間内に収納した一剤の落下を可能とするプラグを配置したことを特徴とする二剤混合容器である。
【０００６】
上記の二剤混合容器において、プラグは、貫通開孔の縁部に緊密に嵌合して該貫通開孔を閉塞させる本体部分と、この本体部分に一体連結し該貫通開孔の縁部の少なくとも三箇所にて摺動可能に当接するガイドと、該ガイドの相互間に設けられ、スリーブの移動による押上げにて各充填空間につながる通路を形成する凹所にて構成されたものを適用するのが好ましく、該ガイドについては、貫通開孔からの抜け出しを回避する当接長さを有するものとする。
【０００７】
また、上下二つのスリーブは、相互離隔、伸張する向きへの回動操作を不能とするラチェット機構を設けることが可能であり、該上下二つのスリーブは、その長手方向に沿う相互間に、引きちぎりによる取り外しによって回動操作を可能とするバージンバンドを設けるのが好ましい。
【発明の効果】
【０００８】
中栓の貫通開孔に設置したプラグは、下側に位置するスリーブにより押上げられることでスライドさせられるが、該プラグは十分な当接長さを有しているので該貫通開孔から抜け出すことはないので、プラグによって混合された内容物の注出が阻害されるのを回避することが可能であり、また、容器本体が透明あるいは半透明で構成されていても見栄えが悪くなることもない。
【発明を実施するための最良の形態】
【０００９】
以下、図面を用いて本発明をより具体的に説明する。
図１は本発明にしたがう二剤混合容器の実施の形態を模式的に示した図であり、図２はプラグの外観斜視図である。
【００１０】
図における１は頂部において開口する注出口部ｅを有し、その内側に補助剤または主剤の充填空間Ｍを形成するカバー体である。このカバー体１は注出口部ｅを形成した小径筒１ａと、この小径筒１ａの下端に一体連結し、下側に向けて開放する開口を有する大径筒１ｂからなっている。また、２はカバー体１の下端部において連係、保持する中筒である。カバー体１は中筒２に回動可能に抜け止め保持されるか、相互に縦リブ等を設けて回動不能に抜け止め保持される。
【００１１】
中筒２はカバー体１の下端部を指し込んでアンダーカット等の係合手段により該カバー体１を抜け止め保持する環状溝ｒを有し、下側部分の外側壁にねじ部が形成された上側スリーブ２ａ（内側筒２ａ１と外側筒２ａ２と下側筒２ａ３からなる）と、この上側スリーブ２ａの下側部分（下側筒２ａ３）を入れ込んでねじ係合する環状溝ｒ１を備えた下側スリーブ２ｂ（空気置換孔ｉを有する内側筒２ｂ１と外側筒２ｂ２からなる）から構成されている。下側スリーブ２ｂの内側筒２ｂ１の外面は、上側スリーブ２ａの下側筒２ａ３の内面と液密状態を保つようになっており、図示の例では、下側筒２ａ３の下端内面に環状膨出部ｄを形成し、この環状膨出部ｄが下側スリーブ２ｂの内側筒２ｂ１の外面に接触してシールしている。
【００１２】
また、３は下側スリーブ２ｂの内側筒の頂部に設けられた貫通孔、４は貫通孔３を囲撓するように内側筒２ｂ１の頂部に設けられた小径の環状凸部、５は中筒２の下部（環状溝ｒ１の底壁より垂下する環状壁）に抜け止め不能に連係し、その内側に主剤または補助剤の充填空間Ｍ１を形成する容器本体である。
【００１３】
６はカバー体１の内側に設けられた中栓である。この中栓６は中央部に貫通開孔ｈを有する底壁６ａと、この底壁６ａに一体連結し上側スリーブ２ａの上部開口にアンダーカットまたは圧入の如き係合手段にて抜け止め嵌合する周壁６ｂと、この周壁６ｂの上端に一体連結し上側スリーブ２ａの上端面に位置するフランジ部６ｃからなっている。フランジ部６ｃは上側スリーブ２ａと、カバー体１の内壁に設けられた複数個の縦リブ１ｃとの間で挟持されることにより固定されている。
【００１４】
また、７は中栓６の貫通開孔ｈに配置されたプラグである。このプラグ７はその外観斜視図を図２に示すように、貫通開孔ｈの縁部に緊密に嵌合して該貫通開孔ｈを閉塞させる段付きディスク状の本体部分７ａと、この本体部分７ａの下部に一体連結し該貫通開孔ｈの四箇所（少なくとも三箇所とする）にて摺動可能に当接する縦リブ状のガイド７ｂと、このガイド７ｂの相互間に設けられ、スリーブ（上側スリーブ２ａあるいは下側スリーブ２ｂ）の移動による押上げにて充填空間Ｍ、Ｍ１につながる通路Ｐ（図３参照）を形成する凹所７ｃから構成されている。プラグ７のガイド７ｂは貫通開孔ｈからの抜け出しを回避するため寸法がＬになる当接長さを有している。
【００１５】
８は上側スリーブ２ａの下側筒２ａ３の外壁と、下側スリーブ２ｂの外側筒２ｂ２の内壁との相互間に設けられたラチェット機構である。このラチェット機構８は中筒２の上側スリーブ２ａ、下側スリーブ２ｂの相互接近、収縮を誘導する向きに移動させる回動操作のみを許容するものであって、図示はしないが、傾斜付きの複数の凸部（鋸刃状の突起）と、この凸部の乗り越えを可能とする凸部からなっている。
【００１６】
さらに９は、上側スリーブ２ａの下端と、下側スリーブ２ｂの上端の相互間に配置されるバージンバンドである。このバージンバンド９は不正な開封あるいは所期しない中筒２の回動を防止するものであって、上側スリーブ２ａ及び下側スリーブ２ｂに引きちぎり可能に取り付けられており、該バージンバンド９には、引きちぎりを容易にするため薄肉部または連結片で接続された縦方向の破断部（図示せず）が形成されている。図示の例では、バージンバンド９を下側スリーブ２ｂの外側筒２ｂ２の上端に破断部を介して一体成形したものを示したが、該バージンバンド９は下側スリーブ２ｂとは別体物として成形し、二剤混合容器の組み立て時に上側スリーブ２ａと下側スリーブ２ｂの相互間に配置してもよい。
【００１７】
１０はカバー体１の外側壁にネジ止めされ注出口部ｅを閉塞状態に保持するキャップである。
【００１８】
上掲図１に示した状態は、中栓６の貫通開孔ｈにプラグ７の本体部分7ａが確実に嵌り込んでおり、各充填空間Ｍ、Ｍ１は相互に遮断された状態に保持されている。
【００１９】
バージンバンド９を取り外したのち、図３に示すように中筒２の回動操作によって上側スリーブ２ａ、下側スリーブ２ｂを相互に近接、収縮する向きに移動させると、下側スリーブ２ｂの内側筒２ｂ１の頂部に位置する環状凸部４がプラグ７の下端に当接するとともに、該プラグ７を押上げていくことになり、環状凸部４が最上端に位置したところで通路Ｐが開通する。
【００２０】
通路Ｐが開通することによって充填空間Ｍ内に収納された内容物は通路Ｐ、環状凸部４の内側を通過して速やかに容器本体１の充填空間Ｍ１へと落下することとなり、二剤が混合されることになる。この時、プラグ７のガイド７ｂは環状凸部４の押し代よりも大きい当接長さを有しているため中栓６の貫通開孔ｈから脱落することはなく、混合された二剤は容器を図４に示すような反転姿勢に保持することにより効率的に排出され、構成部材が透明または半透明で構成されていても見栄えが損なわれることはない。
【００２１】
プラグ７は中栓６の貫通開孔ｈに緊密に嵌合するものであるから、充填空間Ｍには粉体や液状物を収納することも可能であり、この点について制限を受けることはない。
【００２２】
また、プラグ７は環状凸部４の押し代よりも大きな当接長さを有しているため中栓６の貫通開孔ｈから抜け落ちることはないが、ガイド７ｂの端部に貫通開孔ｈの縁部に係合する抜け止めストッパーを設けておくことも可能であり、この点については限定されない。
【産業上の利用可能性】
【００２３】
各充填空間を相互に隔絶する構成部材が内容物の上に浮遊して注出時の妨げになったりあるいは見栄えを損なうことのない二剤混合容器が提供できる。
【図面の簡単な説明】
【００２４】
【図１】本発明にしたがう二剤混合容器の実施の形態を示した図である。
【図２】図１に示した二剤混合容器に使用されるプラグの外観を示した図である。
【図３】図１に示した二剤混合容器につき、二剤の混合状況を示した図である。
【図４】図１に示した二剤混合容器につき、混合物の注出状況を示した図である。
【符号の説明】
【００２５】
１    カバー体
１ａ  小径筒
１ｂ  大径筒
１ｃ  縦リブ
２    中筒
２ａ  上側スリーブ
２ｂ  下側スリーブ
３    貫通孔
４    環状凸部
５    容器本体
６    中栓
６ａ  底壁
６ｂ  周壁
６ｃ  フランジ部
７    プラグ
７ａ  本体部分
７ｂ  ガイド
７ｃ  凹所
８    ラチェット機構
９    バージンバンド
１０  キャップ
ｅ    注出口部
ｒ    環状溝
ｒ１    環状溝
Ｍ    充填空間
Ｍ１   充填空間
ｄ    環状膨出部
ｈ    貫通開孔
Ｐ    通路
【図１】
2010083514.tif 000003
【図２】
2010083514.tif 000004
【図３】
2010083514.tif 000005
【図４】
2010083514.tif 000006